(57)【要約】【課題】本発明は、奥行きがあるＰＣのケースであっても、容易にスライド部を下方から操作してＤＩＮレールから着脱できるレール固定機構を提供することを目的とする。【解決手段】ネジ回し４１を、ケースＣの前面側よりスライドつまみ３９の開口部３８に挿入すると、開口部３８の傾斜面３７ｂへ下方へ押す力が作用し、次第にコイルバネ１３の付勢力に抗してスライド部１２が下方へスライドされ、スライド部１２の下部係合片３３がＤＩＮレールＲの下部フランジ部ＬＦが外れ、ケースＣはＤＩＮレールＲから外れる構成とする。この構成により、ネジ回し４１を押すという強い力を必要としない簡単な作業によってケースＣをＤＩＮレールＲから外すことができる。【選択図】図４
2010061319.tif 000002
【特許請求の範囲】
【請求項１】
ケースをＤＩＮレールに着脱自在に固定するレール固定機構であって、
前面に前記ＤＩＮレールの上部フランジ部に上方から係合する係合片を有し、裏面が前記ケースの裏面側に固定されるボディ部と、
前記ボディ部と弾性体により連結されてボディ部の前面に上下方向にスライド自在に取り付けられ、前記弾性体の付勢力により前記ＤＩＮレールの下部フランジ部に下方から係合する係合片を有するスライド部と
を備え、
前記スライド部の下端に、前記ケースの前面側へ下降する傾斜面を有し前記前面側に向けて開口する開口部を設けたスライドつまみを備え、
棒状の治具を前記ケースの前面側より前記スライドつまみの開口部に挿入すると、前記開口部の傾斜面へ下方へ押す力が作用し、前記弾性体の付勢力に抗して前記スライド部が下方へスライドし、前記スライド部の係合片が前記ＤＩＮレールの下部フランジ部から外れる構成としたこと
を特徴とするレール固定機構。
【請求項２】
前記スライド部の係合片は、前記ＤＩＮレール側から上方へ向けて前記ボディ部側へ傾斜する傾斜面を有し、
前記スライド部が前記ＤＩＮレールの下部フランジ部に押圧されると、係合片の傾斜面に作用する下方への力により、前記弾性体の付勢力に抗してスライド部は下方へスライドされ、係合片の上端が、前記下部フランジ部の下方まで下がると、前記弾性体の付勢力によりスライド部は上方へスライドされ、ＤＩＮレールの下部フランジ部に下方から係合する構成としたこと
を特徴とする請求項１に記載のレール固定機構。
【請求項３】
前記スライド部に、前記弾性体の上端が固定される被スライド体を設け、
前記ボディ部に、前記被スライド体を垂直方向へ案内することにより前記弾性体を垂直方向に案内するスライド溝を設けたこと
を特徴とする請求項１または請求項２に記載のレール固定機構。
【請求項４】
前記ボディ部の前面に、前記ＤＩＮレールの上部フランジ部に接する凸部を設けたこと
を特徴とする請求項１〜請求項３のいずれか１項に記載のレール固定機構。
【請求項５】
前記スライド部の前面に、前記ＤＩＮレールが固定された面に接する凸部を設けたこと
を特徴とする請求項１〜請求項４のいずれか１項に記載のレール固定機構。
【発明の詳細な説明】
【技術分野】
【０００１】
本発明は、ケースをＤＩＮレールに固定するレール固定機構に関するものである。
【背景技術】
【０００２】
従来の上記レール固定機構の一例が、特許文献１に開示されている。
特許文献１に開示されているレール固定機構は、ＰＣのメインケースの背面上端部に形成された可動フック部と、ＰＣのメインケースの背面下端部に形成された固定フック部から構成されている。
【０００３】
前記可動フック部は、ＰＣのメインケースと一体的に形成され、弾性支持されている。すなわち、ＰＣのメインケースの背面上端部に、一対の支持部が後方に突出して形成され、これら一対の支持部の対向する内面の上方にそれぞれ、腕部（変形阻止部）が突出形成され、これら腕部の下方にそれぞれ、アーチ型アーム部が湾曲形状となるように形成され、これらアーチ型アーム部の先端に前記可動フック部が一体的に形成されることにより、弾性支持されている。また可動フック部の先端部の表面には、後方へ傾斜する傾斜面部が形成されて摘み部が一体に形成されており、その摘み部の上端部に引掛け孔部が形成されている。
【０００４】
この構成により、ＤＩＮレールの下方フランジ部に固定フック部を係止した状態で、ＤＩＮレールの上方フランジ部に可動フック部を押し付けると、可動フック部の回動に伴ってアーチ型アーム部が捩れ変形し、アーチ型アーム部の捩れ変形量が所定量以上となると腕部により捩れ変形が阻止され、それ以降はアーチ型アーム部が撓み変形して可動フック部がスライド移動することにより、可動フック部によりＰＣのメインケースをＤＩＮレールに装着することができる。
【０００５】
一方、ＰＣをＤＩＮレールから取外すには、メインケースの上面に形成された傾斜面部に沿って、例えばドライバを進入させることにより、可動フック部に一体的に設けられている摘み部の引掛け孔部にドライバの先端を差込んでから、ドライバを押下げる。すると、ドライバの先端部が傾斜面部の上端を支点として持上がり、それに伴って可動フック部が上方に移動するので、可動フック部によるＤＩＮレールに対する係止状態が解除され、ＰＣをＤＩＮレールから取外すことができる。
【特許文献１】特開平１１−６５６１７号公報
【発明の開示】
【発明が解決しようとする課題】
【０００６】
しかし、従来のレール固定機構では、レールの上方フランジ部に、可動フック部を設けているために、可動フック部が振動や故障で外れてしまうと、装置が落下してしまう危険がある。これを解消するために、可動フック部と固定フック部との取り付け位置を逆転して、可動フック部をレールの下方フランジ部に作用するように構成すると、ＰＣのメインケースの下方へ（マイナス）ドライバを差入れ、摘み部の引掛け孔部にドライバの先端を差込み、ドライバを押上げて、ＤＩＮレールに対する係止状態を解除することになる。しかし、ＰＣのメインケースには奥行きがあることから、マイナスドライバのような長い工具を使用する必要があり、このような長い工具の先端に上下方向に力を加えることは、梃子の原理から困難であり、可動フック部の操作が困難になり、着脱が困難になるという問題が発生する。
【０００７】
また従来のレール固定機構は、ＰＣのケースを特殊な形状として構成されており、すなわち背面上端部に一対の支持部を突出形成し、この支持部の対向する内面にアーチ型アーム部を形成する形状としており、一般のケースに採用することはできないという問題があった。
【０００８】
そこで、本発明は、奥行きがあるＰＣのメインケースであっても、容易に可動部を下方から操作してＤＩＮレールから着脱できるレール固定機構を提供することを目的としたものである。
【課題を解決するための手段】
【０００９】
前述した目的を達成するために、本発明のうち請求項１に記載の発明は、ケースをＤＩＮレールに着脱自在に固定するレール固定機構であって、
前面に前記ＤＩＮレールの上部フランジ部に上方から係合する係合片を有し、裏面が前記ケースの裏面側に固定されるボディ部と、前記ボディ部と弾性体により連結されてボディ部の前面に上下方向にスライド自在に取り付けられ、前記弾性体の付勢力により前記ＤＩＮレールの下部フランジ部に下方から係合する係合片を有するスライド部とを備え、前記スライド部の下端に、前記ケースの前面側へ下降する傾斜面を有し、前記前面側に向けて開口する開口部を設けたスライドつまみを備え、棒状の治具を、前記ケースの前面側より前記スライドつまみの開口部に挿入すると、前記開口部の傾斜面ヘ下方へ押す力が作用し、前記弾性体の付勢力に抗して前記スライド部が下方へスライドし、前記スライド部の係合片が前記ＤＩＮレールの下部フランジ部から外れる構成としたことを特徴とするものである。
【００１０】
上記構成によれば、棒状の治具をケースの前面側よりスライドつまみの開口部に挿入すると、開口部の傾斜面へ下方へ押す力が作用し、次第に弾性体の付勢力に抗してスライド部が下方へスライドされ、スライド部の係合片がＤＩＮレールの下部フランジ部が外れ、ケースはＤＩＮレールから外れる。このように、治具を押すという強い力を必要としない簡単な作業によってスライド部は下げられ、ケースをＤＩＮレールから外すことができる。
【００１１】
また請求項２に記載の発明は、請求項１に記載の発明であって、前記スライド部の係合片は、前記ＤＩＮレール側から上方へ向けて前記ボディ部側へ傾斜する傾斜面を有し、前記スライド部が前記ＤＩＮレールの下部フランジ部に押圧されると、係合片の傾斜面に作用する下方への力により、前記弾性体の付勢力に抗してスライド部は下方へスライドされ、係合片の上端が、前記下部フランジ部の下方まで下がると、前記弾性体の付勢力によりスライド部は上方へスライドされ、ＤＩＮレールの下部フランジ部に下方から係合する構成としたことを特徴とするものである。
【００１２】
上記構成によれば、ボディ部の係合片をＤＩＮレールの上部フランジ部に係合し、ケースをＤＩＮレールに向けて押圧すると、係合片の傾斜面に作用する下方への力により、弾性体の付勢力に抗してスライド部は下方へスライドされ、係合片の上端が、下部フランジ部の下方まで下がると、前記弾性体の付勢力によりスライド部は上方へスライドされ、ＤＩＮレールの下部フランジ部に下方から係合し、ケースがＤＩＮレールに取り付けられる。このように、ケースをＤＩＮレールに向けて押圧することにより、簡単にＤＩＮレールに取り付けられる。
【００１３】
また請求項３に記載の発明は、請求項１または請求項２に記載の発明であって、前記スライド部に、前記弾性体の上端が固定される被スライド体を設け、前記ボディ部に、前記被スライド体を垂直方向へ案内することにより前記弾性体を垂直方向に案内するスライド溝を設けたことを特徴とするものである。
【００１４】
上記構成によれば、スライド部の被スライド体がボディ部のスライド溝により垂直方向に案内されることにより、弾性体は垂直方向に案内され、スライド部は、傾くことなくボディ部に対して垂直方向にスライドされ、スライドする際に傾斜することが防止され、スムーズなスライドが実現される。
【００１５】
また請求項４に記載の発明は、請求項１〜請求項３のいずれか１項に記載の発明であって、前記ボディ部の前面に、前記ＤＩＮレールの上部フランジ部に接する凸部を設けたことを特徴とするものである。
【００１６】
上記構成によれば、ボディ部がＤＩＮレールの上部フランジ部に接するとき、ボディ部の凸部がＤＩＮレールに押し付けられ、ボディ部がＤＩＮレールを横滑りすることが防止される。
【００１７】
また請求項５に記載の発明は、請求項１〜請求項４のいずれか１項に記載の発明であって、前記スライド部の前面に、前記ＤＩＮレールが固定された壁面に接する凸部を設けたことを特徴とするものである。
【００１８】
スライド部がスライドされるとき、スライド部が前記壁面に接するときがある。
上記構成によれば、スライド部がスライドされ、スライド部が壁面に接するとき、凸部が壁面に接することにより壁面との接触抵抗が少なくなり、スライド部のスムーズなスライドが実現される。
【発明の効果】
【００１９】
本発明のレール固定機構は、棒状の治具を、ケースの前面側よりスライドつまみの開口部に挿入して押すという強い力を必要としない簡単な作業によってスライド部を下げることができ、ケースをＤＩＮレールから簡単に外すことができる、という効果を有している。
【発明を実施するための最良の形態】
【００２０】
以下、本発明の実施の形態を図面に基づいて説明する。
図１は本発明の実施の形態におけるレール固定機構の背面および前面の斜視図、図２は同レール固定機構の分解斜視図、図３は同レール固定機構を使用してＰＣケースをＤＩＮレールに取り付けた取付図である。
【００２１】
レール固定機構１０は、ケースＣ（たとえば、ＰＣのケース）をＤＩＮレールＲに取り付けるための機構であり、ボディ部１１と、スライド部１２と、これらボディ部１１およびスライド部１２を連結するコイルバネ（弾性体の一例）１３を備えている。なお、ケースＣの前後方向と直角な方向を左右方向とする。
【００２２】
前記ボディ部１１は、ケースＣの裏面の寸法に合わせた平板状のボディ本体２１と、左右一対の上部係合片２２と、ボディ凸部２３と、左右一対の下方係止片２４と、左右二対（４個）の案内爪２５と、固定板２６と、スライド溝２７と、取付孔２８と、開口部上面板２９が設けられて構成されている。
【００２３】
上部係合片２２は、ＤＩＮレールＲの上部フランジ部ＵＦに上方から係合する係合片であり、ボディ本体２１の上方の両側方からそれぞれ、ＤＩＮレールＲの奥行き寸法未満の幅で、ケースＣとは反対の向きに突出させて設けられている。またＤＩＮレールＲの上部フランジ部ＵＦに係合する先端部（係合部）は三角形状に形成されている。
【００２４】
またボディ凸部２３は、丸い半球状に形成され、上部係合片２２がＤＩＮレールＲに係合される際に、ボディ本体２１がＤＩＮレールＲの上部フランジ部ＵＦに対向する、ボディ本体２１上の中央位置に設けられている。
【００２５】
また前記下方係止片２４は、左右一対の上部係合片２２から下方へＤＩＮレールＲの高さ方向寸法を空けて、ボディ本体２１の下方の両側方からそれぞれ、ＤＩＮレールＲの略奥行き寸法（但し、奥行き寸法未満）の幅で、ケースＣとは反対の向きに突出させて、ＤＩＮレールＲの下部フランジ部ＬＦの下端に接するように設けられている。この下方係止片２４は、上部係合片２２とＤＩＮレールＲを挟んで形成されていることにより、ボディ本体２１（ボディ部１１）が、ＤＩＮレールＲに固定されているとき、斜めに傾くことを規制し、ケースＣが傾くことを防止している。
【００２６】
また前記左右二対（４個）の案内爪２５は、ボディ本体２１の左右の下方係止片２４に囲まれたエリアに、ＤＩＮレールＲの奥行き寸法未満の幅で、ケースＣとは反対の向きに突出させて設けられ、スライド部１２の左右の案内レール（後述する）をそれぞれ支持し、上下方向へ案内する。
【００２７】
また前記固定板２６は、前記エリアの中央下方に、ケースＣとは反対の向きに突出させて設けられ、コイルバネ１３の下端が固定される。
また前記スライド溝２７は、固定板２６の上方に設けられ、スライド部１２の被スライド体３５（後述する）を垂直方向へ案内することによりコイルバネ１３を垂直方向に案内する。
【００２８】
また前記取付孔２８は、ケースＣの取付ネジ穴（図示せず）に対応して、ボディ本体２１に４箇所設けられている。
また前記開口部上面板２９は、平板から形成され、ボディ本体２１の下端から、ケースＣの前面側へ水平に突出して設けられ、後述する開口部３８の固定側上面部を形成する。
【００２９】
また上記スライド部１２は、ボディ部１１内に収まる平板状のスライド本体３１と、傾斜面３２を有する左右一対の下部係合片３３と、左右二対（４個）の案内レール３４と、被スライド体３５と、スライド凸部３６と、左右の垂直面３７ａと傾斜面３７ｂからなる開口部３８を有するスライドつまみ３９を設けて構成されている。
【００３０】
前記下部係合片３３は、スライド本体３１の両側方に、ケースＣの向きに突出させて設けられ、ＤＩＮレールＲ側から上方へ向けてボディ部１１側へ傾斜する傾斜面３２を有す三角形状に形成され、ＤＩＮレールＲの下部フランジ部ＬＦに下方から係合する。スライド部１２の奥行き幅に相当する前記下部係合片３３の奥行き幅は、ボディ本体２１とＤＩＮレールＲが固定される壁面（面の一例）Ｗとの間の幅内に収まり、コイルバネ１３を内方に取り付け可能な幅とされている。
【００３１】
また前記案内レール３４は、スライド本体３１の下部係合片３３の部分より下の部分を、外方に折り曲げて設けられ、４つの前記案内爪２５にそれぞれ支持案内される。
また前記被スライド体３５は、ボディ部１１のスライド溝２７の上端に位置してスライド本体３１を切り欠き、ケースＣの向きに折り曲げて形成され、スライド溝２７に摺動（案内）される。
【００３２】
また前記スライド凸部３６は、丸い半球状に形成され、スライド本体３１の前面上に設けられ、前記壁面Ｗに接する。
また前記スライドつまみ３９は、前記左右の垂直面（側面）３７ａとこれら垂直面３７ａを連結しケースＣの前面側へ傾斜する傾斜面（底面）３７ｂからなる開口部３８を、スライド本体３１の下端に、ケースＣの前面側へ突出させて設け、形成されている。この開口部３８はケースＣの前面側に向けて開口されており、開口部３８の（固定側）上面部は前記開口部上面板２９により形成されている。
【００３３】
また前記コイルバネ１３は、その上端がスライド部１２の被スライド体３５にネジ止めされ、その下端がボディ部１１の固定板２６にネジ止めされ、ボディ部１１およびスライド部１２がコイルバネ１３により連結されている。
［組み立て］
上記構成により、ボディ部１１の固定板２６にコイルバネ１３の下端をネジ止めし、ボディ部１１の案内爪２５に下方からスライド部１２の案内レール３４を係合させ、コイルバネ１３の上端をスライド部１２の被スライド体３５の下端にネジ止めすることにより、レール固定機構１０は組み立てられる。これにより、スライド部１２は、ボディ部１１の前面に上下方向にスライド自在に取り付けられる。
【００３４】
そして、ケースＣの取付ネジ穴（図示せず）に取付孔２８を対応させ、ネジを締めることで、ボディ部１１（レール固定装置１０）はケースＣの裏面側に固定される。
［ＤＩＮレールＲへの取り付け］
ボディ部１１の上部係合片２２をＤＩＮレールＲの上部フランジ部ＵＦに係合し、ケースＣをＤＩＮレールＲの下部フランジ部ＬＦに向けて押圧すると、スライド部１２の下部係合片３３の傾斜面３２に作用する下方への力により、コイルバネ１３の付勢力に抗してスライド部１２は下方へスライドされ、下部係合片３３の上端が、下部フランジ部ＬＦの下方まで下がると、コイルバネ１３の付勢力によりスライド部１２は上方へスライドされ、下部係合片３３はＤＩＮレールＲの下部フランジ部ＬＦに下方から係合し、ケースＣがＤＩＮレールＲに取り付けられる。このように、ケースＣをＤＩＮレールＲに向けて押圧することにより、簡単にＤＩＮレールＲに取り付けられる。
【００３５】
またボディ部１１の上部係合片２２は固定片（スライドしない片）であることから、何らかの原因でスライド部１２の下部係合片３３がＤＩＮレールＲから外れても、ケースＣがＤＩＮレールＲから落下することはない。
【００３６】
またボディ部１１の上部係合片２２と下方係止片２４により、ボディ本体２１（ボディ部１１）の位置が規制され、ケースＣが傾くことが防止される。
またボディ部１１がＤＩＮレールＲの上部フランジ部ＵＦに接するとき、ボディ部１１のボディ凸部２３がＤＩＮレールＲに押し付けられることにより、ボディ部１１がＤＩＮレールＲを横滑りすることが防止される。
［ＤＩＮレールＲからの取り外し］
図４および図５に示すように、先端がプラスのネジ回し（棒状の治具の一例）４１を、ケースＣの前面側よりスライドつまみ３９の開口部３８に挿入すると、ネジ回し４１の先端が、固定側のボディ部１１の水平な開口部上面板２９に沿って移動し、可動側の開口部３８の傾斜面３７ｂに接することにより、開口部３８の傾斜面３７ｂヘ下方へ押す力が作用し、コイルバネ１３の付勢力に抗してスライド部１２が下方へ次第にスライドされる。これにより、スライド部１２の下部係合片３３がＤＩＮレールＲの下部フランジ部ＵＦが外れ、ケースＣはＤＩＮレールＲから外れる。このように、ケースＣの前面側から下面の沿ってネジ回し４１を差し入れ、ネジ回し４１を押すという強い力を必要としない簡単な作業によってスライド部１２は下げられ、ケースＣはＤＩＮレールＲから外される。
【００３７】
またスライド部１２が下方へスライドされるとき、スライド部１２の被スライド体３５がボディ部１１のスライド溝２７により垂直方向に案内されることにより、コイルバネ１３は垂直方向に案内され、スライド部１２は、傾くことなくボディ部１１に対して垂直方向にスライドされ、スライドする際に傾斜することが防止され、スムーズなスライドが実現される。
【００３８】
またスライド部１２がスライドされるとき、壁面Ｗに接するときがあり、このときスライド凸部３６が壁面Ｗに接することにより壁面Ｗとの接触抵抗が少なくなり、スライド部１２のスムーズなスライドが実現される。
【００３９】
以上のように本実施の形態によれば、ネジ回し４１を、ケースＣの前面側よりスライドつまみ３９の開口部３８に挿入すると、開口部３８の傾斜面３７ｂを下方へ押す力が作用し、次第にコイルバネ１３の付勢力に抗してスライド部１２が下方へスライドされ、スライド部１２の下部係合片３３がＤＩＮレールＲの下部フランジ部ＬＦが外れ、ケースＣはＤＩＮレールＲから外れることにより、ネジ回し４１を押すという強い力を必要としない簡単な作業によってケースＣをＤＩＮレールＲから外すことができる。
【００４０】
また本実施の形態によれば、ボディ部１１の上部係合片２２をＤＩＮレールＲの上部フランジ部ＵＦに係合し、ケースＣをＤＩＮレールＲの下部フランジ部ＬＦに向けて押圧することにより、簡単にＤＩＮレールＲに取り付けることができる。
【００４１】
また本実施の形態によれば、スライド部１２の被スライド体３５がボディ部１１のスライド溝２７により垂直方向に案内され、コイルバネ１３が垂直方向に案内され、スライド部１２が、傾くことなくボディ部１１に対して垂直方向にスライドされることにより、スライド部１２がスライドする際に傾斜することを防止でき、スムーズなスライドを実現できる。
【００４２】
また本実施の形態によれば、ボディ部１１にボディ凸部２３を設けたことにより、ボディ部１１がＤＩＮレールＲの上部フランジ部ＵＦに接するとき、ボディ部１１のボディ凸部２３がＤＩＮレールＲに押し付けられることにより、ボディ部１１がＤＩＮレールＲを横滑りすることを防止することができる。
【００４３】
また本実施の形態によれば、スライド部１２にスライド凸部３６を設けたことにより、スライド部１２がスライドされるとき、スライド凸部３６が壁面Ｗに接することにより壁面Ｗとの接触抵抗が少なくなり、スライド部１２のスムーズなスライドを実現できる。
【００４４】
なお、本実施の形態では、スライド部１２をスライドさせる治具として、ネジ回し４１を使用しているが、ネジ回し４１に限ることはなく、開口部３８に挿入できスライド部１２を下降させる太さの棒体であればよい。
【００４５】
また本実施の形態では、ボディ凸部２３とスライド凸部３６をそれぞれ１つだけ設けているが、１つに限ることはなく、複数、設けるようにしてもよい。
また本実施の形態では、弾性体をコイルバネ１３により形成しているが、コイルバネ１３に限ることはなく、角形状のゴム体であってもよい。
【図面の簡単な説明】
【００４６】
【図１】本発明の実施の形態におけるレール固定機構の斜視図であり、（ａ）は背面側の斜視図、（ｂ）は前面側の斜視図である。
【図２】同レール固定機構の分解斜視図である。
【図３】同レール固定機構を使用してＰＣケースをＤＩＮレールに取り付ける図であり、（ａ）は背面側の斜視図、（ｂ）は前面側の斜視図である。
【図４】同レール固定機構を使用してＰＣケースをＤＩＮレールから取り外すときの作用図であり、（ａ）はネジ回しを挿入前の側面図、（ｂ）は挿入後の側面図である。
【図５】図４の拡大図であり、（ａ）はネジ回しを挿入前の要部側面図、（ｂ）は挿入後の要部側面図である。
【符号の説明】
【００４７】
Ｃ    ケース
Ｒ    ＤＩＮレール
ＵＦ  上部フランジ部
ＬＦ  下部フランジ部
Ｗ    壁面
１０  レール固定機構
１１  ボディ部
１２  スライド部
１３  コイルバネ
２１  ボディ本体
２２  上部係合片
２３  ボディ凸部
２４  下方係止片
２５  案内爪
２６  固定板
２７  スライド溝
２８  取付孔
２９  開口部上面板
３１  スライド本体
３２  傾斜面
３３  下部係合片
３４  案内レール
３５  被スライド体
３６  スライド凸部
３７ｂ  傾斜面
３８  開口部
３９  スライドつまみ
４１  ネジ回し
【図１】
2010061319.tif 000003
【図２】
2010061319.tif 000004
【図３】
2010061319.tif 000005
【図４】
2010061319.tif 000006
【図５】
2010061319.tif 000007